(57)【要約】【課題】特定のエリア内において自動運転車両を円滑に走行させること。【解決手段】実施形態に係る管理装置は、受付部と、割当部と、作成部とを備える。受付部は、管轄エリアにおける自動運転車両の駐車予約を受け付ける。割当部は、受付部によって受け付けられた駐車予約に基づいて自動運転車両へ管轄エリア内の駐車場を割り当てる。作成部は、割当部によって割り当てられた駐車場までの自動運転車両の走行計画を作成する。また、作成部は、管轄エリアを走行予定である他車両の動向から予測される混雑状況に基づいて走行計画を作成する。【選択図】図１
2019196136.tif 000002
【特許請求の範囲】
【請求項１】
管轄エリアにおける自動運転車両の駐車予約を受け付ける受付部と、
前記受付部によって受け付けられた前記駐車予約に基づいて前記自動運転車両へ前記管轄エリア内の駐車場を割り当てる割当部と、
前記割当部によって割り当てられた前記駐車場までの前記自動運転車両の走行計画を作成する作成部と
を備え、
前記作成部は、
前記管轄エリア内を走行予定である他車両の動向から予測される混雑状況に基づいて前記走行計画を作成すること
を特徴とする管理装置。
【請求項２】
前記作成部は、
所要時間が最短となる前記走行計画を作成すること
を特徴とする請求項１に記載の管理装置。
【請求項３】
前記混雑状況に応じて前記管轄エリア内の交差点における各信号灯の点灯状態を制御する信号灯制御部
をさらに備え、
前記作成部は、
前記信号灯制御部によって制御される前記各信号灯の点灯状態から予測される前記混雑状況に基づいて前記走行計画を作成すること
を特徴とする請求項１または２に記載の管理装置。
【請求項４】
前記混雑状況に応じて前記管轄エリア内の交通規則を変更する規則変更部
をさらに備え、
前記作成部は、
前記規則変更部によって変更される前記交通規則から予測される前記混雑状況に基づいて前記走行計画を作成すること
を特徴とする請求項１、２または３に記載の管理装置。
【請求項５】
前記受付部は、
前記自動運転車両のユーザの降車位置に関する降車位置情報を含む前記駐車予約を受け付け、
前記作成部は、
前記降車位置情報に基づき、前記降車位置を経由し、前記駐車場に至るまでの前記走行計画を作成すること
を特徴とする請求項１〜４のいずれか一つに記載の管理装置。
【請求項６】
前記割当部は、
前記降車位置における前記ユーザの滞在時間に基づいて前記降車位置を基準とする前記駐車場を割り当てる範囲を決定すること
を特徴とする請求項５に記載の管理装置。
【請求項７】
請求項１〜６のいずれか一つに記載の管理装置と、
前記管理装置によって作成された前記走行計画に基づいて前記自動運転車両を制御する車載装置と
を備えることを特徴とする管理システム。
【請求項８】
管轄エリアにおける自動運転車両の駐車予約を受け付ける受付工程と、
前記受付工程によって受け付けられた前記駐車予約に基づいて前記自動運転車両へ前記管轄エリア内の駐車場を割り当てる割当工程と、
前記割当工程によって割り当てられた前記駐車場までの前記自動運転車両の走行計画を作成する作成工程と
を含み、
前記作成工程は、
前記管轄エリア内を走行予定である他車両の動向から予測される混雑状況に基づいて前記走行計画を作成すること
を特徴とする管理方法。
【発明の詳細な説明】
【技術分野】
【０００１】
本発明は、管理装置、管理システムおよび管理方法に関する。
【背景技術】
【０００２】
従来、例えば、駐車場が併設された施設において、自動運転車両をユーザの要求に応じて自動で駐車させる自動バレーパーキング装置がある。かかる自動バレーパーキング装置では、ユーザの希望に沿う希望駐車スペースへ自動運転車両を駐車させる(例えば、特許文献１参照)。
【先行技術文献】
【特許文献】
【０００３】
【特許文献１】特開２０１７−１８２２６３号公報
【発明の概要】
【発明が解決しようとする課題】
【０００４】
しかしながら、従来技術では、複数の自動運転車両がそれぞれ駐車場内を自由に移動するため、駐車場内で渋滞等が発生するおそれがあり、特定のエリア内において自動運転車両を円滑に走行させるうえで改善の余地があった。
【０００５】
本発明は、上記に鑑みてなされたものであって、特定のエリア内において自動運転車両を円滑に走行させることができる管理装置、管理システムおよび管理方法を提供することを目的とする。
【課題を解決するための手段】
【０００６】
上述した課題を解決し、目的を達成するために、実施形態に係る管理装置は、受付部と、割当部と、作成部とを備える。前記受付部は、管轄エリアにおける自動運転車両の駐車予約を受け付ける。前記割当部は、前記受付部によって受け付けられた前記駐車予約に基づいて前記自動運転車両へ前記管轄エリア内の駐車場を割り当てる。前記作成部は、前記割当部によって割り当てられた前記駐車場までの前記自動運転車両の走行計画を作成する。また、前記作成部は、前記管轄エリアを走行予定である他車両の動向から予測される混雑状況に基づいて前記走行計画を作成する。
【発明の効果】
【０００７】
本発明によれば、特定のエリア内において自動運転車両を円滑に走行させることができる。
【図面の簡単な説明】
【０００８】
【図１】図１は、管理方法の概要を示す図である。
【図２】図２は、管理システムの構成例を示す図である。
【図３】図３は、管理装置のブロック図である。
【図４】図４は、駐車予約の受け付け画面の一例を示す図である。
【図５】図５は、割当部による処理の具体例を示す図である。
【図６】図６は、点灯制御部による処理の具体例を示す図である。
【図７】図７は、規則変更部の処理の具体例を示す図である。
【図８Ａ】図８Ａは、管理装置が実行する処理手順を示すフロチャート(その１)である。
【図８Ｂ】図８Ｂは、管理装置が実行する処理手順を示すフロチャート(その２)である。
【発明を実施するための形態】
【０００９】
以下、添付図面を参照して、実施形態に係る管理装置、管理システムおよび管理方法について詳細に説明する。なお、本実施形態によりこの発明が限定されるものではない。
【００１０】
まず、図１を用いて実施形態に係る管理方法の概要について説明する。図１は、管理方法の概要を示す図である。なお、かかる管理方法は、図１に示す管理装置１によって実行される。
【００１１】
図１に示す管理装置１は、管轄エリアＡ内で各自動運転車両Ｃの運行管理を行うサーバ装置である。また、管理装置１は、管轄エリアＡ内の駐車場を管理する。
【００１２】
ところで、従来技術では、施設内に併設された駐車場に対して自動運転車両を自動で駐車させる自動バレーパーキング装置がある。かかる自動バレーパーキング装置では、ユーザの希望に沿う希望駐車スペースへ自動運転車両を駐車させる。
【００１３】
しかしながら、上記の従来技術では、それぞれの自動運転車両が独立して駐車場内を走行するため、入出庫が多い時間等に駐車場内で渋滞が発生するおそれがある。
【００１４】
すなわち、従来技術では、各自動運転車両をそれぞれ円滑に走行させることができないおそれがあった。また、従来技術では、施設内の駐車場を対象とするため、仮に、駐車場が全て満車である場合、自動運転車両を駐車させることができない。
【００１５】
そこで、実施形態に係る管理方法では、駐車場の割り当てから、かかる駐車場までの走行経路の管理を一括して行うこととした。
【００１６】
具体的には、図１に示すように、まず、実施形態に係る管理方法では、自動運転車両Ｃの駐車予約を受け付ける（ステップＳ１）。例えば、駐車予約は、駐車を希望する時間帯、自動運転車両Ｃのユーザの降車位置に関する情報等が含まれる。
【００１７】
そして、実施形態に係る管理方法では、駐車予約に基づき、自動運転車両Ｃに対して管轄エリアＡにおける駐車場を割り当てる（ステップＳ２）。実施形態に係る管理方法では、例えば、駐車を希望する時間帯に空車がある駐車場であり、ユーザの降車位置に近い駐車場を割り当てることができる。
【００１８】
図１に示す例では、駐車場Ｐ１および駐車場Ｐ２のうち、駐車場Ｐ１を自動運転車両Ｃに割り当てた場合を示す。続いて、実施形態に係る管理方法では、駐車場Ｐ１までの自動運転車両Ｃの走行計画を作成する（ステップＳ３）。
【００１９】
具体的には、実施形態に係る管理方法では、管轄エリアＡを走行予定の他車両の動向から予測される混雑状況に基づいて走行計画を作成する。
【００２０】
例えば、自動運転車両Ｃが駐車場Ｐ１へ向かう時間帯において、自動運転車両Ｃのスタート地点Ｓｔから駐車場Ｐ１までの各走行経路の所要時間を算出する。
【００２１】
このとき、例えば、スタート地点Ｓｔから駐車場Ｐ１までの最短距離である走行経路Ｒ１で渋滞の発生が予測される場合、かかる走行経路を回避した走行経路Ｒ２を走行する走行計画を作成する。
【００２２】
つまり、実施形態に係る管理方法では、所用時間が最短となる走行経路を自動運転車両Ｃが走行する走行計画を作成する。
【００２３】
例えば、実施形態に係る管理方法では、全ての車両の目的地と目的地までの走行経路を管理装置１へアップロードする場合、アップロードされた情報に基づいて他車両の動向を取得することが可能である。
【００２４】
なお、上記の例以外にも、実施形態に係る管理方法では、他車両の動向について、過去のシチュエーションから予測することが可能である。具体的には、例えば実施形態に係る管理方法では、過去の各車両の走行経路を蓄積しておく。
【００２５】
そして、実施形態に係る管理方法では、蓄積した情報を参照し、自動運転車両Ｃが駐車場Ｐ１に向かう時間帯と類似する過去のシチュエーションにおける他車両の動向を抽出する。
【００２６】
なお、以下では、管轄エリアＡ内を走行する全ての車両が自動運転車両Ｃである場合について説明するが、その一部に運転者が運転操作を行う車両が含まれることにしてもよい。
【００２７】
すなわち、本実施形態では、走行する全ての車両が自動運転車両Ｃであり、管轄エリアＡを走行する全ての車両の行先や走行経路が管理装置１側に逐次アップロードされるものとして説明する。
【００２８】
その後、実施形態に係る管理方法では、自動運転車両Ｃへ作成した走行計画を通知する（ステップＳ４）。これにより、自動運転車両Ｃの車載装置１０は、かかる走行計画に基づいて自動運転車両Ｃを制御することとなる。
【００２９】
このように、実施形態に係る管理方法では、他車両の動向に基づいて駐車場へ駐車する自動運転車両Ｃの走行計画を作成する。したがって、実施形態に係る管理方法によれば、各自動運転車両Ｃが効率的に管轄エリアＡ内を走行することができるので、特定のエリア内において自動運転車両Ｃを円滑に走行させることができる。
【００３０】
なお、ここでは、１つの自動運転車両Ｃの走行計画を作成する場合について説明したが、実施形態に係る管理方法は、管轄エリアＡで駐車を希望する全ての自動運転車両Ｃに対して走行計画を作成する。
【００３１】
すなわち、実施形態に係る管理方法では、１つの自動運転車両Ｃに対する走行計画を他の自動運転車両Ｃの走行計画に基づいて作成する。言い換えれば、全ての自動運転車両Ｃが他の自動運転車両Ｃの動向を考慮した走行計画に基づき、管轄エリアＡ内を走行することとなる。
【００３２】
また、実施形態に係る管理方法では、管轄エリアＡで混雑が予想される場合、信号灯を制御したり、交通規則を緩和したりすることで、管轄エリアＡ内の混雑を未然に抑制することも可能である。
【００３３】
つまり、実施形態に係る管理方法では、管轄エリアＡ内の交通の流れを制御することが可能である。
【００３４】
次に、図２を用いて実施形態に係る管理システム１００について説明する。図２は、管理システム１００の構成例を示す図である。図２に示すように、管理システム１００は、上述の管理装置１および車載装置１０に加えて、駐車場端末４０と、端末装置５０とを備える。
【００３５】
例えば、管理装置１、車載装置１０、駐車場端末４０および端末装置５０は、それぞれネットワークＮを介して相互に情報を送受信することが可能である。
【００３６】
駐車場端末４０は、各駐車場に設けられ、例えば、駐車場の管理人によって操作される端末である。例えば、駐車場端末４０は、駐車場内において駐車可能な駐車枠を車載装置１０へ通知する機能を有する。また、例えば、駐車場端末４０は、駐車場の出入り口に設けられた侵入防止ゲートの開閉を制御することも可能である。
【００３７】
端末装置５０は、自動運転車両Ｃのユーザが所有する端末であり、例えば、上述の駐車予約をネットワークＮを介して管理装置１へ送信する。管理装置１は、かかる駐車予約に基づき、駐車場を自動運転車両Ｃへ割り当てるとともに、自動運転車両Ｃの走行計画を作成する。かかる走行計画は、ネットワークＮを介して車載装置１０へ送信される。車載装置１０は、かかる走行計画に基づいて自動運転車両Ｃを走行することとなる。
【００３８】
次に、図３を用いて実施形態に係る管理装置１の構成例について説明する。図３は、管理装置１のブロック図である。
【００３９】
図３に示すように、管理装置１は、制御部２と、記憶部３とを備える。制御部２は、受付部２１と、取得部２２と、割当部２３と、点灯制御部２４と、規則変更部２５と、作成部２６とを備える。
【００４０】
制御部２は、たとえば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００４１】
コンピュータのＣＰＵは、例えば、ＲＯＭに記憶されたプログラムを読み出して実行することによって、制御部２の受付部２１、取得部２２、割当部２３、点灯制御部２４、規則変更部２５および作成部２６として機能する。
【００４２】
また、制御部２の受付部２１、取得部２２、割当部２３、点灯制御部２４、規則変更部２５および作成部２６の少なくともいずれか一部または全部をＡＳＩＣ（Application  Specific  Integrated  Circuit）やＦＰＧＡ（Field  Programmable  Gate  Array）等のハードウェアで構成することもできる。
【００４３】
また、記憶部３は、たとえば、ＲＡＭやＨＤＤに対応する。ＲＡＭやＨＤＤは、駐車場データベース３１、走行情報データベース３２、信号灯データベース３３および規則情報データベース３４や各種プログラムの情報を記憶することができる。なお、管理装置１は、有線や無線のネットワークで接続された他のコンピュータや可搬型記録媒体を介して上記したプログラムや各種情報を取得することとしてもよい。
【００４４】
制御部２の受付部２１は、管轄エリアＡにおける自動運転車両Ｃの駐車予約を受け付ける。受付部２１は、端末装置５０からネットワークＮを介して駐車予約を受け付けることができる。
【００４５】
図４は、駐車予約の受け付け画面の一例を示す図である。図４に示すように、端末装置５０には、駐車予約の受け付け画面において、「降車位置」、「希望到着日時」、「お迎え希望日時」等の項目の入力項目が表示される。
【００４６】
「降車位置」は、ユーザが降車する位置を示す。すなわち、実施形態に係る管理システム１００では、自動運転車両Ｃは、降車位置までユーザを一旦送り届けた後に、駐車場へ駐車する。
【００４７】
「希望到着日時」は、ユーザが降車位置に到着を希望する日時である。自動運転車両Ｃは、希望到着時刻までに降車位置にユーザを送り届けることが必要となる。
【００４８】
「お迎え希望日時」は、ユーザが降車位置で自動運転車両Ｃにピックアップされる希望の日時である。すなわち、希望到着時刻からお迎え希望日時までの期間がユーザの降車位置における滞在時間となる。
【００４９】
また、例えば、ユーザが、自動運転車両Ｃを降車後に別々の位置で複数の用事を行うことも想定される。このため、降車位置と、自動運転車両Ｃがユーザをピックアップする位置とが異なる場所を入力するようにしてもよい。また、ユーザが駐車場を降車位置とする場合、降車位置は駐車場となる。かかる場合に、例えば、ユーザが駐車を希望する駐車場を指定することも可能である。
【００５０】
この際、管理システム１００では、ユーザが希望する駐車場と異なる駐車場をやむを得ず割り当てる場合、例えば、管轄エリアＡ内で使用可能なクーポン券をユーザ、すなわち、端末装置５０へ付与することにしてもよい。
【００５１】
図３の説明に戻り、取得部２２について説明する。取得部２２は、管轄エリアＡを走行する自動運転車両Ｃの走行情報を取得する。ここでの自動運転車両Ｃは、駐車予約を行わず、単に管轄エリアＡ内を走行する車両を示す。
【００５２】
なお、以下では、駐車予約を行った自動運転車両Ｃについて対象車両Ｃ１と記載し、駐車予約を行っておらず、管轄エリアＡを単に走行する自動運転車両Ｃについて非対象車両Ｃ２と記載する。
【００５３】
取得部２２は、例えば、非対象車両Ｃ２の現在地、目的地および目的地までの走行経路に関する情報を走行情報として逐次取得し、記憶部３の走行情報データベース３２に格納する。すなわち、走行情報データベース３２には、上述の他車両の動向が記憶される。
【００５４】
割当部２３は、受付部２１によって受け付けられた駐車予約に基づいて対象車両Ｃ１へ管轄エリアＡ内の駐車場を割り当てる。割当部２３は、記憶部３の駐車場データベース３１を参照し、駐車場を割り当てる。
【００５５】
そして、割当部２３は、駐車場を割り当てると、駐車場データベース３１を更新する。駐車場データベース３１は、管轄エリアＡ内の駐車場の所在地と、各駐車場の収容台数、割当状況等が記憶されたデータベースである。割当部２３は、駐車場データベース３１の割当状況を更新することとなる。
【００５６】
図５は、割当部２３による処理の具体例を示す図である。図５に示すように、割当部２３は、降車位置Ｄｐにおけるユーザの滞在時間に基づいて降車位置Ｄｐを基準とする駐車場を割り当てる範囲を決定する。なお、上述のように、滞在時間は、「お迎え希望日時」から「希望到着日時」を差し引いた時間である(図４参照)。
【００５７】
例えば、降車位置Ｄｐの滞在時間が短い場合、降車位置Ｄｐから所定範囲Ｔ１が駐車場を割り当てる範囲となり、降車位置Ｄｐの滞在時間が長くなるにつれて、所定範囲Ｔ２、所定範囲Ｔ３と徐々に範囲が拡大する。
【００５８】
すなわち、対象車両Ｃ１が降車位置Ｄｐから駐車場までを往復する際の所要時間がユーザの降車位置Ｄｐにおける滞在時間よりも長い場合、対象車両Ｃ１が駐車場に入庫する前に、降車位置Ｄｐに向かう必要がある。
【００５９】
すなわち、かかる場合に、対象車両Ｃ１は、ユーザが降車位置Ｄｐに滞在している期間中、常に走行することとなり、エネルギーを浪費することとなる。
【００６０】
このため、割当部２３は、ユーザの降車位置Ｄｐの滞在時間に応じて駐車場を割り当てる範囲を限定することで、各対象車両Ｃ１に対して適切な駐車場を割り当てることが可能となる。
【００６１】
なお、図５では、所定範囲Ｔ１〜Ｔ３が円形状の範囲である場合について示しているが、所定範囲Ｔ１〜Ｔ３は、対象車両Ｃ１が駐車場と、降車位置Ｄｐとを往復するのにかかる所要時間に基づいて決定される。
【００６２】
また、割当部２３は、受付部２１が新たな駐車予約を受け付けた場合、先に割り当てた駐車場の割り当てを更新することも可能である。例えば、降車位置Ｄｐにおける滞在時間が短い駐車予約を受け付けた際に、所定範囲Ｔ１にある駐車場Ｐ１の予約が満車だったとする。
【００６３】
かかる場合に、割当部２３は、駐車場Ｐ１に駐車する対象車両Ｃ１のうち、滞在時間が長く、ユーザの送迎に支障をきたさない対象車両Ｃ１を例えば、所定範囲Ｔ２に属する駐車場Ｐ２や所定範囲Ｔ３に属する駐車場Ｐ３へ割り当てる。
【００６４】
このように、割当部２３は、新たな駐車予約を受け付けた場合に、既に駐車場を割り当てた対象車両Ｃ１の駐車場の割り当てを変更することで、効率的に駐車場を管理することができる。
【００６５】
なお、割当部２３は、対象車両Ｃ１の車種によって割り当てる駐車場を変更することにしてもよい。例えば、対象車両Ｃ１が電気自動車であり、駐車中に充電を要する場合、かかる対象車両Ｃ１に対して充電設備が完備された駐車場を割り当てることができる。また、駐車場によっては、高さ制限があるので、高さ制限に収まるように、駐車場を割り当てることも可能である。
【００６６】
図３の説明に戻り、点灯制御部２４について説明する。点灯制御部２４は、管轄エリアＡ内の混雑状況に応じて管轄エリアＡ内の交差点における各信号灯の点灯状態を制御する。
【００６７】
具体的には、点灯制御部２４は、走行情報データベース３２を参照して、管轄エリアＡにおいて各自動運転車両Ｃ（対象車両Ｃ１および非対象車両Ｃ２を含む）が走行を予定している走行経路から管轄エリアＡ内の混雑状況を予測する。
【００６８】
そして、点灯制御部２４は、かかる混雑状況を解消するように、各信号灯の点灯状態を制御する。例えば、点灯制御部２４は、点灯状態として各信号灯の青信号および赤信号の周期を制御し、制御結果を信号灯データベース３３に書き込む。
【００６９】
信号灯データベース３３は、管轄エリアＡ内における各信号灯の点灯周期が記憶されたデータベースである。図６は、点灯制御部２４による処理の具体例を示す図である。なお、ここでは、１つの交差点における信号灯の制御を例に挙げて説明する。
【００７０】
図６に示すように、例えば、上側から交差点へ進入予定の自動運転車両Ｃが計３台であり、左側から交差点へ進入予定の自動運転車両Ｃが計３０台である場合について説明する。
【００７１】
かかる場合に、点灯制御部２４は、交通量が相対的に多い道路に設置された信号機Ｌ１が青で点灯する時間を長くし、交通量が相対的に少ない道路に設置された信号機Ｌ２が赤で点灯する時間を長くする。
【００７２】
例えば、点灯制御部２４は、走行予定の台数に応じて信号機Ｌ１および信号機Ｌ２の青信号の時間を配分する。すなわち、点灯制御部２４は、走行予定の台数の割合が多い道路ほど、青信号の時間が長くなるように点灯状態を制御する。
【００７３】
これにより、交通量の多い道路における混雑状況を回避することができる。なお、各交差点における交通量は動的に変化するので、点灯制御部２４は、上記の処理を各交差点の交通量にあわせて適宜変更する。
【００７４】
図３の説明に戻り、規則変更部２５について説明する。規則変更部２５は、管轄エリアＡ内の混雑状況に応じて管轄エリアＡ内の交通規則を変更し、記憶部３の規則情報データベース３４を更新し、更新内容を各車載装置１０へ通知する。なお、規則情報データベース３４は、管轄エリアＡ内の交通規制に関する情報を記憶したデータベースである。
【００７５】
図７は、規則変更部２５の処理の具体例を示す図である。図７に示すように、規則変更部２５は、管轄エリアＡ内の一方通行の交通規則を逆向きに変更する。
【００７６】
規則変更部２５は、一方通行の道路を通行が許可された方向（図中右向き）に通過する自動運転車両Ｃがおらず、かかる道路を逆向きの一方通行（図中左向き）にすることで、混雑状況が緩和される場合に、上記の措置を取る。
【００７７】
また、例えば、規則変更部２５は、混雑されると見込まれる道路の速度制限を緩和することも可能である。同図に示す例では、速度制限が３０ｋｍ／ｈから４０ｋｍ／ｈへ緩和した場合を示す。
【００７８】
また、規則変更部２５は、対向車線の交通量が少ない場合、対面通行の交通規則を交通量が多い向きに向かう一方通行へ変更することも可能である。すなわち、交通量が多い向きの車線数を増加させることも可能である。
【００７９】
このように、規則変更部２５は、各自動運転車両Ｃの動向を把握しておき、混雑状態が緩和されるように交通規則を変更する。これにより、管轄エリアＡ内において自動運転車両Ｃを円滑に走行させることができる。
【００８０】
また、点灯制御部２４による処理と規則変更部２５による処理とを組み合わせることで、自動運転車両Ｃをより円滑に走行させることが可能となる。なお、管理装置１は、点灯制御部２４と規則変更部２５とのうち、一方のみを備える構成とすることにしてもよいし、点灯制御部２４および規則変更部２５は、警察署等のサーバで管理されることにしてもよい。
【００８１】
図３の説明に戻り、作成部２６について説明する。作成部２６は、割当部２３によって割り当てられた駐車場までの管轄エリアＡにおける対象車両Ｃ１の走行計画を作成する。作成部２６は、他車両の動向から予測される混雑状況に基づいて走行計画を作成する。
【００８２】
作成部２６が走行計画を作成するに当たり、降車位置が駐車場と同じ位置（例えば、同一の施設）である場合と、降車位置が駐車場と別の位置である場合とが考えられる。まず、降車位置が駐車場と同じ施設である場合について説明する。
【００８３】
かかる場合に、まず、作成部２６は、対象車両Ｃ１のスタート地点Ｓｔから駐車場までの走行経路を算出する。このとき、作成部２６は、複数の走行経路が考えられる場合、全ての走行経路を算出する。
【００８４】
続いて、作成部２６は、走行経路毎に所要時間を算出する。例えば、走行経路の交通量が多いほど、所要時間を長く算出し、走行経路の交通量が少ないほど、所要時間を短く算出する。
【００８５】
ここで、上述のように、管轄エリアＡでは、点灯制御部２４および規則変更部２５によって混雑状態が緩和される。このため、作成部２６は、点灯制御部２４および規則変更部２５による制御に基づいて走行経路毎の所要時間を算出する。
【００８６】
例えば、作成部２６は、信号灯の点灯状態が制御された状態において、走行経路を走行した場合の所要時間や、交通規則が変更された状態において、走行経路を走行した場合の所要時間を算出する。
【００８７】
続いて、作成部２６は、複数の走行経路のうち、所要時間が最短である走行経路を対象車両Ｃ１が走行する走行計画を作成し、車載装置１０へ送信するとともに、記憶部３の走行情報データベース３２を更新する。かかる走行計画には、走行経路の各地点における走行速度、走行車線等が含まれる。車載装置１０は、かかる走行計画に基づいて対象車両Ｃ１を制御することになる。
【００８８】
このように、作成部２６は、混雑状況が緩和された状態において、走行計画を作成することで、対象車両Ｃ１を効率的な走行経路で走行させることが可能となる。
【００８９】
続いて、降車位置が駐車場と別である場合について説明する。かかる場合に、まず、作成部２６は、スタート地点Ｓｔから降車位置までの走行経路と、降車位置から駐車場までの走行経路とを算出する。
【００９０】
すなわち、作成部２６は、降車位置を経由し、駐車場に至る走行経路を算出する。そして、作成部２６は、例えば、所要時間が最短となる走行経路を組み合わせた走行計画を作成する。
【００９１】
このように、作成部２６は、降車位置を経由し、駐車場に至るまでの走行計画を作成することで、ユーザのニーズにあわせて適切な走行計画を作成することが可能となる。
【００９２】
このとき、対象車両Ｃ１には、降車位置から駐車場まではユーザが乗車していない。このため、作成部２６は、例えば、ユーザが乗車中である他の対象車両Ｃ１の走行の妨げとならないように走行経路を算出するようにしてもよい。
【００９３】
また、交通量は逐次変化するため、作成部２６は、対象車両Ｃ１が走行を開始してから駐車場に到着するまでの期間に、作成した走行計画の更新を行う。例えば、作成部２６は、対象車両Ｃ１に対して作成した走行計画よりも所要時間が短い走行経路がある場合には、かかる走行経路を走行するように走行計画を更新する。
【００９４】
その後、作成部２６は、対象車両Ｃ１が「お迎え希望日時」（図４参照）までに降車位置に到着する走行計画を作成し、車載装置１０へ通知することとなる。
【００９５】
次に、図８Ａおよび図８Ｂを用いて実施形態に係る管理装置１が実行する処理手順について説明する。図８Ａおよび図８Ｂは、管理装置１が実行する処理手順を示すフローチャートである。
【００９６】
まず、図８Ａを用いて駐車予約を受け付けてから走行計画を通知するまでの一連の処理について説明する。図８Ａに示すように、まず、受付部２１は、駐車予約を受け付け（ステップＳ１０１）、割当部２３は、駐車予約に基づいて駐車場を割り当てる（ステップＳ１０２）。
【００９７】
続いて、作成部２６は、降車位置と駐車場とが同一であるか否かを判定する（ステップＳ１０３）。かかる判定において、降車位置と駐車場が一致する場合（ステップＳ１０３，Ｙｅｓ）、作成部２６は、駐車場までの走行計画を作成し（ステップＳ１０４）、車載装置１０へ走行計画を通知して（ステップＳ１０５）、処理を終了する。
【００９８】
一方、降車位置と駐車場とが異なる場合（ステップＳ１０３，Ｎｏ）、作成部２６は、降車位置を経由する走行計画を作成し（ステップＳ１０６）、ステップＳ１０５の処理へ移行する。
【００９９】
次に、図８Ｂを用いて通知した走行計画を更新する場合の処理について説明する。図８Ｂに示すように、作成部２６は、車載装置１０へ通知した走行計画の所要時間は最短か否かを判定する（ステップＳ２０１）。
【０１００】
走行計画の所要時間が最短でない場合（ステップＳ２０１，Ｎｏ）、作成部２６は、所要時間が最短となるように走行計画を更新する（ステップＳ２０２）。
【０１０１】
続いて、作成部２６は、車載装置１０へ更新後の走行計画を通知し（ステップＳ２０３）、対象車両Ｃ１が駐車場へ到着済みか否かを判定する（ステップＳ２０４）。
【０１０２】
ここで、管理装置１は、対象車両Ｃ１が駐車場へ到着済みだった場合（ステップＳ２０４，Ｙｅｓ）、かかる対象車両Ｃ１に対する処理を終了する。一方、駐車場へ到着済みでない場合（ステップＳ２０４，Ｎｏ）、ステップＳ２０１の処理へ移行する。
【０１０３】
また、ステップＳ２０１の処理において、通知した走行計画の所要時間が最短であった場合（ステップＳ２０１，Ｙｅｓ）、ステップＳ２０４の処理へ移行する。すなわち、ステップＳ２０１からステップＳ２０４の処理は、対象車両Ｃ１が駐車場に到着するまで継続して行われる。なお、図８ＢのステップＳ２０４に示す駐車場を降車位置として置き換えて処理を行うことにしてもよい。
【０１０４】
上述したように、実施形態に係る管理装置１は、受付部２１と、割当部２３と、作成部２６とを備える。受付部２１は、管轄エリアＡにおける自動運転車両Ｃの駐車予約を受け付ける。割当部２３は、受付部２１によって受け付けられた駐車予約に基づいて自動運転車両Ｃへ管轄エリアＡ内の駐車場を割り当てる。
【０１０５】
作成部２６は、割当部２３によって割り当てられた駐車場までの自動運転車両Ｃの走行計画を作成する。また、作成部２６は、管轄エリアＡを走行予定である他車両の動向から予測される混雑状況に基づいて走行計画を作成する。したがって、実施形態に係る管理装置１によれば、特定のエリア内において自動運転車両Ｃを円滑に走行させることができる。
【０１０６】
ところで、上述した実施形態では、管理装置１が、対象車両Ｃ１に対して複数の駐車施設の中から駐車場を割り当てる場合について説明したが、これに限定されるものではない。例えば、管理装置１は、同一の駐車施設内で駐車場を割り当てることにしてもよい。すなわち、管轄エリアＡは、１つの駐車施設であってもよい。
【０１０７】
また、上述した実施形態では、管理装置１が、自動運転車両Ｃである対象車両Ｃ１に対して走行計画を作成する場合について説明したが、対象車両Ｃ１は、自動運転車両Ｃに限られず、運転者が運転操作を行う車両であってもよい。
【０１０８】
また、上述した実施形態では、管理装置１が、対象車両Ｃ１に対して走行計画を作成する場合について説明したが、これに限定されるものではなく、管轄エリアＡを走行する全ての車両に対して走行計画を作成することにしてもよい。
【０１０９】
また、予定していた滞在時間が、実際の滞在時間と異なる場合も想定される。このため、管理装置１は、例えば、端末装置５０（図２参照）から対象車両Ｃ１の出庫指示を受け付けた場合に、対象車両Ｃ１がユーザのもとに向かう走行計画を作成することにしてもよい。
【０１１０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１１】
１    管理装置
１０    車載装置
２１    受付部
２２    取得部
２３    割当部
２４    点灯制御部
２５    規則変更部
２６    作成部
１００    管理システム
Ａ    管轄エリア
Ｃ    自動運転車両
Ｃ１    対象車両
Ｃ２    非対象車両
【図１】
2019196136.tif 000003
【図２】
2019196136.tif 000004
【図３】
2019196136.tif 000005
【図４】
2019196136.tif 000006
【図５】
2019196136.tif 000007
【図６】
2019196136.tif 000008
【図７】
2019196136.tif 000009
【図８Ａ】
2019196136.tif 000010
【図８Ｂ】
2019196136.tif 000011